(57)【要約】【課題】  スライド移動可能な分割された梱包材の使用により、部材数を大幅に削減しつつ各種大きさの被梱包体に容易に適用できて、汎用性の向上を図ることが可能な梱包装置を提供する。【解決手段】  被梱包体の相対向する面に被せられる梱包材と、該梱包材を締結する結束材とを備えた梱包装置において、梱包材は、二分割されて互いのスライド動作により、その梱包空間が前記相対向する面間の寸法に対応して調整されると共に、各梱包材の所定位置が結束材でそれぞれ締結される。前記梱包材は、被梱包体との間に長さ調整可能な緩衝材が介挿されたり、二分割された梱包材の接合部が被梱包体の重量バランスに応じて設定される。【選択図】  図２
2005132446.tif 000002
【特許請求の範囲】
【請求項１】
被梱包体の相対向する面に被せられる梱包材と、該梱包材を締結する結束材とを備えた梱包装置において、
前記梱包材は、二分割されて互いのスライド動作により、その梱包空間が前記相対向する面間の寸法に対応して調整されると共に、前記各梱包材の所定位置が結束材でそれぞれ締結されることを特徴とする梱包装置。
【請求項２】
前記梱包材は、被梱包体との間に前記相対向する面間の寸法に対応する寸法に長さ調整可能な緩衝材が介挿されることを特徴とする請求項１に記載の梱包装置。
【請求項３】
前記二分割される梱包材は、その接合部が被梱包体の重心位置の近傍に設定されることを特徴とする請求項１または２に記載の梱包装置。
【請求項４】
前記二分割される梱包材は、スライド方向と平行な両端部に、梱包状態において断面略コ字形状の嵌挿溝が設けられることを特徴とする請求項１ないし３のいずれかに記載の梱包装置。
【請求項５】
前記被梱包体が板状物であり、該板状物のスライド方向と平行な両端部に前記緩衝材として紙管が介挿されることを特徴とする請求項１ないし４のいずれかに記載の梱包装置。
【請求項６】
前記板状物は、その表面側が前記梱包材により覆われた状態で該梱包材がその相対向する端面に被せられると共に、裏面側に保護シートと梱包材の少なくとも一つが配置されて結束材で締結されることを特徴とする請求項５に記載の梱包装置。
【請求項７】
前記板状物の裏面側に、該裏面側に設けられる突出部を利用して付属品が一体的に梱包されることを特徴とする請求項５または６に記載の梱包装置。
【請求項８】
前記紙管は、空洞部を有する複数の紙管部材に分割され、該各紙管部材の空洞部内に挿通された連結部材により長さ調整可能であることを特徴とする請求項５ないし７のいずれかに記載の梱包装置。
【発明の詳細な説明】
【技術分野】
【０００１】
本発明は、例えばキッチンや洗面化粧台のカウンター等の被梱包体を梱包する梱包装置に係り、特に各種大きさの被梱包体に対応可能な梱包装置に関する。
【背景技術】
【０００２】
従来、洗面化粧台等を梱包する梱包装置としては、例えば特許文献１に開示されている。この梱包装置は、被梱包体に第１の有底包装部材を当接させ、当該第１の有底包装部材と相対向する位置に第２の有底包装部材を当接させ、第１の有底包装部材と第２の有底包装部材とを締結部材により締結するようにしたものである。
【特許文献１】特開２００１−３４１７９０号公報
【発明の開示】
【発明が解決しようとする課題】
【０００３】
しかしながら、この梱包装置においては、第１及び第２の有底包装部材が被梱包体の当接面の大きさに対応した所定形状に設定されているため、例えば被梱包体の各面の大きさに応じた第１及び第２の有底包装部材がそれぞれ必要になる。その結果、例えばシステムキッチンのように、その左右幅方向の寸法に各種のバリエーションがある場合、各バリエーションにそれぞれ専用の有底包装部材が必要となり、梱包装置の部材数が大幅に増加すると共に、その管理や取り扱いが面倒であるという問題点を有している。特に、個性や差別化が要求されるシステムキッチン等においては、そのバリエーションの数が増加する傾向にあり、前記問題点が一層顕著になり易い。
【０００４】
また、このようなシステムキッチンにおいては、各キャビネットに対応した長さの人工大理石等で形成された板状のカウンターが使用されるが、この板状のカウンターの梱包も、所定位置にシンクが突出状態で取り付けられていることから、梱包作業が面倒となり易く、その改善が望まれているのが実情である。
【０００５】
本発明は、このような事情に鑑みてなされたもので、その目的は、スライド移動可能な分割された梱包材の使用により、被梱包体の大きさの違いによる部材数の増加を抑えつつ各種大きさの被梱包体に容易に適用できて、汎用性の向上を図ることが可能な梱包装置を提供することにある。また、本発明の他の目的は、前記目的に加え、カウンター等の板状の被梱包体を確実かつ容易に梱包し得る梱包装置を提供することにある。
【課題を解決するための手段】
【０００６】
かかる目的を達成すべく、本発明のうち請求項１に記載の発明は、被梱包体の相対向する面に被せられる梱包材と、該梱包材を締結する結束材とを備えた梱包装置において、前記梱包材は、二分割されて互いのスライド動作により、その梱包空間が前記相対向する面間の寸法に対応して調整されると共に、前記各梱包材の所定位置が結束材でそれぞれ締結されることを特徴とする。
【０００７】
そして、前記梱包材は、請求項２に記載の発明のように、被梱包体との間に前記相対向する面間の寸法に対応する寸法に長さ調整可能な緩衝材が介挿されることが好ましい。また、前記二分割された梱包材は、請求項３に記載の発明のように、その接合部が被梱包体の重心位置の近傍に設定されることが好ましく、請求項４に記載の発明のように、スライド方向と平行な両端部に、梱包状態において断面略コ字形状の嵌挿溝が設けられることが好ましい。
【０００８】
また、請求項５に記載の発明のように、前記被梱包体が板状物であり、該板状物のスライド方向の平行な両端部に前記緩衝材として紙管が嵌挿されることが好ましく、この場合、前記板状物は、請求項６に記載の発明のように、その表面側が前記梱包材により覆われた状態で該梱包材がその相対向する端面に被せられると共に、裏面側に保護シートと梱包材の少なくとも一つが配置されて結束材で締結されることが好ましい。
【０００９】
また、請求項７に記載の発明のように、前記板状物の裏面側に、該裏面側に設けられる突出部を利用して付属品が一体的に梱包されることが好ましく、また、請求項８に記載の発明のように、前記紙管が、空洞部を有する複数の紙管部材に分割され、該各紙管部材の空洞部内に挿通された連結部材により長さ調整可能であることが好ましい。
【発明の効果】
【００１０】
本発明の請求項１に記載の発明によれば、梱包材が二分割され、各梱包材の互いのスライド動作によって、その梱包空間が被梱包体の相対向する面間の寸法に対応するように調整されるため、各種大きさの被梱包体であっても、例えば分割された梱包材を重ねた状態でスライド動作させることにより確実に梱包できて、被梱包体の大きさの違いによる梱包装置の部材数の増加を抑えることができると共に、各種バリエーションの被梱包体の梱包に的確に対応できて、汎用性に優れた梱包装置を得ることが可能となる。
【００１１】
また、請求項２に記載の発明によれば、請求項１に記載の発明の効果に加え、梱包材と被梱包体との間に、該被梱包体の相対向する面間の寸法に対応する寸法に長さ調整可能な緩衝材が介挿されるため、緩衝材により被梱包体を保護できて、安定した梱包状態を容易に得ることができると共に、緩衝材自体も長さ調整可能であるため、その部材数の増加を抑えることができて、一層汎用性に優れた梱包装置を得ることができる。
【００１２】
また、請求項３に記載の発明によれば、請求項１または２に記載の発明の効果に加え、二分割された梱包材の接合部が被梱包体の重心位置の近傍に設定されるため、分割された梱包材による安定した梱包状態を容易に得ることができる。
【００１３】
また、請求項４に記載の発明によれば、請求項１ないし３に記載の発明の効果に加え、二分割された梱包材のスライド方向と平行な両端部に、梱包状態において断面略コ字形状の嵌挿溝が設けられるため、この嵌挿溝により、被梱包体の外周部を保護できると共に緩衝材を確実に嵌挿でき、かつ隣り合う梱包材の外周部の接合状態が安定し、被梱包体に対する良好な梱包状態が容易に得られると共に、分割された梱包材の移動がスムーズとなって長さ調整作業を容易に行うことができる。
【００１４】
また、請求項５に記載の発明によれば、請求項１ないし４に記載の発明の効果に加え、被梱包体が板状物であり緩衝材として紙管が使用されるため、例えばカウンター等の板状の被梱包体を紙管で保護しつつ確実かつ良好に梱包することができる。
【００１５】
また、請求項６に記載の発明によれば、請求項５に記載の発明の効果に加え、板状物の表面側に梱包材が被せられ、裏面側に保護シートと梱包材の少なくとも一つが配置されて結束材で締結されるため、例えばカウンターの表面側を梱包材で保護しつつ、シンクが突出する裏面側にシートやシンク部分を覆う梱包材を使用して梱包でき、板状物を一層確実かつ良好に梱包することができる。
【００１６】
また、請求項７に記載の発明によれば、請求項５または６に記載の発明の効果に加え、板状物の裏面側に、シンク等の突出部の側面空間等を利用して付属品が一体的に梱包されるため、各種の付属品を例えばカウンターの裏面側でシンク横の凹み空間を利用して効率的に梱包することができる。
【００１７】
また、請求項８に記載の発明によれば、請求項５ないし７に記載の発明の効果に加え、分割された紙管がその内部の孔に挿通された連結部材により長さ調整可能であるため、紙管を各種大きさの板状物に適用できて、梱包に係わる部材数の一層の低減と汎用性の向上を図ることができる
【発明を実施するための最良の形態】
【００１８】
以下、本発明を実施するための最良の形態を図面に基づいて詳細に説明する。
図１〜図６は、本発明に係わる梱包装置の一実施形態を示し、図１が該梱包装置を使用したキッチンカウンターの梱包状態の斜視図、図２がその分解斜視図、図３が図１のＡ−Ａ線に沿った断面図、図４が梱包材の梱包形状の平面図、図５が紙管の斜視図、図６が梱包材の組み立て方法の説明図である。
【００１９】
図１〜図３において、梱包装置１は、被梱包体としてのキッチンカウンター２（以下、単にカウンター２という）の表面側（図において下面側）から相対向する長手方向の端面に被せられる二分割された梱包材３、４と、この梱包材３、４の長手方向と直交する幅方向の内側でカウンター２の幅方向側面との間に介挿される緩衝材としての一対の紙管５と、カウンター２の裏面側（図において上面側）に配置される梱包材６、シート７（シート７は図２及び図３参照）及び付属品箱８と、これらを梱包材３、４の長手方向の複数箇所（図では４箇所）で結束する結束材９等で構成されている。
【００２０】
前記一対の梱包材３、４は、材質としては段ボール等の紙類や樹脂類等が使用され、浅い舟形状の梱包形状と展開した平板形状の返却形状とに形状変更可能でリターナブル可能（返却、再使用可能）に構成されている。すなわち、各梱包材３、４は、図１に示す梱包形状において、図２〜図４に示すように、カウンター２の表裏面より僅かに大きな面積を有する長方形状の底壁部３ａ、４ａと、この底壁部３ａ、４ａの幅方向両端に立設された２つの長辺側の側壁部３ｂ、４ｂと、底壁部３ａ、４ａの長手方向の一方の端部である外周端部に立設された１つの短辺側の側壁部３ｃ、４ｃとで、長手方向の他方の端部に開口した接合端部３ｄ、４ｄを有する深さの浅い舟形状に構成されている。
【００２１】
この時、各梱包材３、４の各側壁部３ｂ、３ｃ及び４ｂ、４ｃは、底壁部３ａ、４ａ外周端の折り曲げ線１０ａに沿って折り曲げられることにより略垂直状態に設定される垂直部１１ａと、この垂直部１１ａの先端に設けられる折り曲げ線１０ｂで折り曲げられることにより水平状態に設定される水平部１１ｂとで構成されている。そして、この垂直部１１ａと水平部１１ｂ及び底壁部３ａ、４ａの幅方向両端部とにより、底壁部３ａ、４ａの３方向の外周端部に紙管５やカウンター２の外周端部が嵌挿される嵌挿溝１１が形成されている。なお、前記折り曲げ線１０ａ、１０ｂは、直線状（もしくは所定間隔毎）に形成された凹部や肉薄部等で形成され、所定方向への曲げ癖が付与されると共に繰り返し折り曲げ可能に構成されている。
【００２２】
また、一対の梱包材３、４の図４に示す長さＬ１、Ｌ２は、一方側（図において左側）の梱包材３が長く、他方側（図において右側）の梱包材４が短くなるように（Ｌ１＞Ｌ２）に設定され、この各長さＬ１、Ｌ２はカウンター２の長手方向の重量バランスに対応して接合端部３ｄ、４ｄがカウンター２の重心位置の近傍になるように設定されている。すなわち、カウンター２のシンク１２が取り付けられ重量的に重くなる他方側の梱包材４の長さＬ２が短く、平坦な電磁加熱器の取り付けのための開口１３等が形成され重量的に軽くなる一方側の梱包材３の長さＬ１が長く設定されている。
【００２３】
そして、この一対の梱包材３、４は、舟形状において、例えば右側の梱包材４の外形形状を左側の梱包材３の外形形状より僅かに小さく設定することで、梱包材３、４の接合端部３ｄ、４ｄが互いにスライド嵌合して、接合した両梱包材３、４によって、カウンター２の裏面側に所定容積の梱包空間１４が形成されようになっている。すなわち、図４に示すように、舟形状の左側の梱包材３の開口した接合端部３ｄの内側に、舟形状の右側の梱包材４の開口した接合端部４ｄを嵌め込んで矢印イの如くスライド移動させて、両梱包材３、４が接合する部分の寸法Ｌ３を変化させることにより、接合された一対の梱包材３、４の全長Ｌが調整されて、梱包材３、４の底壁部３ａ、４ａと各側壁部３ｂ、３ｃ及び４ｂ、４ｃとで形成される前記梱包空間１４の容積が調整される。また、この接合時において、梱包材３、４の幅方向両端部に形成される前記嵌挿溝１１は、梱包材３、４のスライド移動方向に連通した状態となっている。
【００２４】
前記紙管５は、カウンター２の幅方向両端部の嵌挿溝１１内に嵌挿配置され、例えば段ボール等の紙類によって略筒形状で長さ調整可能に形成されている。すなわち、一対の紙管５は、図３に示すように、内部に空洞部１５を有しその形状が互いに異なる断面異形形状に形成され、各紙管５には、カウンター２の表面の幅方向端部を支持する所定幅の水平な支持面１６が設けられている。そして、この紙管５は、図５に示すように、２つの紙管部材５ａ、５ｂに長手方向で二分割され、各紙管部材５ａ、５ｂの空洞部１５内に抜き取り可能に嵌挿された連結部材５ｃで連結されることにより、連結部材５ｃによる連結部分の長さＬ５に応じて紙管５の全長Ｌ４が調整されるようになっている。なお、この例では、一対の紙管５の断面形状を異なるように設定したが、同一形状に設定して部材の共通化を図ることも勿論可能である。
【００２５】
また、図１に示す前記結束材９は、所定長さの布製バンドが使用され、例えば長さ方向の所定位置が梱包材３、４の底壁部３ａ、４ａの外面に縫い付け、接着、針止め等の適宜の固着手段によって、外れない程度に軽く固定されている。そして、各結束材９の一方の端部に係止具１７がそれぞれ取り付けられており、この係止具１７に結束材９の他方の端部を挿通して係止されることにより、結束材９で梱包材３、４が所定の力で締結されるようになっている。この結束材９としては、布製バンドの使用に限らず、例えばＰＰバンド、ビニール紐、ゴム紐等を使用することもできるし、結束材９を梱包材３、４に固定することなく使用することもできる。
【００２６】
さらに、前記梱包材６は、カウンター２の他方の端部側に設けられたカウンター２の裏面側に突出するシンク１２部分を覆うもので、例えば段ボール等の紙類もしくは樹脂類の板材が使用され、その外周部に設けた４本の折り曲げ線６ａ（図３参照）と切り込み（図示せず）等によって、舟形状の梱包形状と平板形状の返却形状とに形状変更可能（展開及び組み立て可能）に形成されている。また、前記シート７は、例えばポリ袋が使用され、カウンター２の全体を包み込むように形成されるが、被梱包体の形態によって、１枚のシート７を裏面側に単に配置するようにしても良い。さらに、前記付属品箱８は、段ボール等の紙類もしくは樹脂類の板材によって箱形状に形成され、折り曲げ線や切り込み（図示せず）によって、前記梱包材６と同様に箱形状の梱包形状と平板形状の返却形状とに形状変更可能に形成されている。
【００２７】
次に、このように構成された梱包装置１を使用したカウンター２の梱包方法及び梱包装置１の返却方法の一例について説明する。先ず、梱包装置１を使用してカウンター２を梱包する場合は、一対の梱包材３、４と２本の紙管５を準備し、分割されて平板形状に設定されている一対の梱包材３、４を、図６（ａ）に示すように、梱包するカウンター２の長さに応じて、長さの短い梱包材４の接合端部４ｄが上となるように両梱包材３、４の接合端部３ｄ、４ｄを重ね合わせる。
【００２８】
この状態で、平板状の一対の梱包材３、４の上に、シート７で覆われたカウンター２の表面側を位置させた状態で載せ、梱包材３、４上にカウンター２をセットする。なお、この時、カウンター２は各梱包材３、４の底壁部３ａ、４ａ上に位置すると共に、図示しない結束材９は、その両端部が梱包材３、４の幅方向の外側に引き出された状態となっている。
【００２９】
そして、このカウンター２のセット状態において、図６（ａ）に示す平板形状（展開形状）の各梱包材３、４を、その長辺側の側壁部３ｂ、４ｂを内側の折り曲げ線１０ａに沿って矢印ロ方向に折り曲げて垂直部１１ａを形成すると共に、外側の折り曲げ線１０ｂに沿って側壁部３ｂ、４ｂの先端部分を同ロ方向に折り曲げて水平部１１ｂを形成する。これにより、図６（ｂ）に示すように、各梱包材３、４の底壁部３ａ、４ａのスライド方向に平行な幅方向両端部に、Ｌ字形状の側壁部３ｂ、４ｂと底壁部３ａ、４ａの外周端部とで断面コ字状の嵌挿溝１１が形成される。
【００３０】
なお、図６には示していないが、梱包材３、４の長手方向の側壁部３ｂ、４ｂの折り曲げを、例えばその内部に紙管５を入れた状態、つまり側壁部３ｂ、４ｂで紙管５を包む状態で行うこと等により、嵌挿溝１１の底部側に紙管５が所定状態で嵌挿されることになる。この時、一対の紙管５は、連結部材５ｃにより長さ調整が可能であることから、予め分割された梱包材３、４のセット長さに対応した長さに設定されて嵌挿溝１１内に嵌挿される。また、側壁部３ｂ、４ｂのＬ字形状への折り曲げは、折り曲げ線１０ａ、１０ｂの曲げ癖を利用してスムーズに行え、この点は、短辺側の側壁部３ｃ、４ｃの折り曲げについても同様である。
【００３１】
長辺側の側壁部３ｂ、４ｂを折り曲げたら、次に図６（ｂ）の矢印ハの如く、各梱包材３、４の短辺側の側壁部３ｃ、４ｃを側壁部３ｂ、４ｂと同様にして折り曲げ、各梱包材３、４の外周側端部に垂直部１１ａと水平部１１ｂを形成して嵌挿溝１１を形成し、図６（ｃ）に示す状態とする。そして、この状態で、例えば梱包材４を図６（ｃ）の矢印イ方向に押してスライド移動させることにより、両梱包材３、４の全長Ｌがカウンター２の長さに応じた値に設定されると共に、短辺側の嵌挿溝１１内にカウンター２の相対向する面である長手方向の端部が嵌挿され、カウンター２の表面側と長手方向の両端部が梱包材３、４で覆われた状態となる。なお、梱包材３、４のスライド移動時に、嵌挿溝１１内に嵌挿されている長さ調整可能な各紙管５も、梱包材３、４の長さ調整に応じてスライド移動して所定長さに設定される。
【００３２】
このようにしてカウンター２を梱包材３、４で覆うと、このカウンター２の裏面上でシンク１２部分に舟形状に組み立てた梱包材６を被せてシンク１２を外側から覆うと共に、梱包材６の内部でカウンター２の裏面側に突出したシンク１２側方の梱包空間１４内に、付属品箱８を内蔵した状態とする。そして、この状態で、各梱包材３、４に軽く固定されている結束材９の一端部を他方の端部に固定されている係止具１７に挿通して係止させることにより、結束材９が所定の張力で締結されて梱包材３、４等が結束されて梱包作業が終了する。この時、結束材９は、各梱包材３、４の長手方向の両端部に２本ずつ設けられており、この合計４本の結束材９で梱包材３、４、紙管５、付属品箱８入りの梱包材６等が同時に結束されて梱包されることになる。
【００３３】
梱包作業が終了すると、図１に示すように梱包材４の短辺側の側壁部４ｃの垂直部１１ａ表面に、品番ラベル１８や宛先ラベル１９が貼付されて、カウンター２の製造工場から、キッチンキャビネット等と共に、倉庫等の物流拠点を経て新築家屋等のキッチンを設置する施工現場に出荷される。この施工現場に搬入された梱包装置１で梱包されたカウンター２は、結束材９を弛めて外し、梱包材６や付属品箱８をカウンター２の裏面上から取り除いて別体にすると共に、梱包材３、４上からカウンター２を取り出す。
【００３４】
そして、梱包材３、４を、図６（ａ）〜（ｃ）に示す手順と逆の手順により、舟形状から各側壁部３ｂ、３ｃ及び４ｂ、４ｃを展開した（もしくは各側壁部３ｂ、３ｃ及び４ｂ、４ｃを底壁部３ａ、４ａ上に折り畳んだ）平板形状の返却形状に設定すると共に、梱包材６や付属品箱８を平板形状の返却形状に設定し、また各紙管５から連結部材５ｃを抜くことにより、各紙管５を長さの短い紙管部材５ａ、５ｂに形状変更し、これらをシート７と共に梱包材３、４に固定されている結束材９で軽く縛って返却形態に設定する。この返却形態は、厚さが薄くその外形形状がカウンター２の長さより短い一方の梱包材３の外形形状となって、返却輸送や返却時の部材管理等が容易に行えることになる。
【００３５】
また、工場に返却された梱包装置１は、分割された梱包材３、４や梱包材６及び付属品箱８は再び組み立てることで再使用することが可能となり、紙管５も各紙管部材５ａ、５ｂを連結部材５ｃで連結することにより再使用することが可能となる。つまり、梱包に使用した梱包装置１のほとんど全ての部材が、加工等を加えることなくそのままの状態で再使用できる、すなわち梱包装置１がリターナブルに使用されることになる。
【００３６】
なお、以上の梱包方法や返却方法は一例であって、梱包方法の場合は、例えば梱包材３、４を予めある程度の舟形状に組み立てた後に、その底壁部３ａ、４ａ上にカウンター２を載置してさらに完全な舟形状にして梱包しても良いし、予め完全に組み立てた梱包材３、４の梱包空間１４内にカウンター２等の被梱包体を押し込んで梱包したり、あるいは結束材９として梱包時に所定長さに切断可能でリサイクル可能なＰＰバンドを使用することもできる。また、返却方法の場合も、結束材９による結束に限らず使用済みのＰＰバンド等を使用したり、梱包装置１の各部材をキッチンキャビネットの梱包装置と一緒に結束して返却するようにしても良い。
【００３７】
このように、上記実施形態の梱包装置１にあっては、梱包材として二分割された梱包材３、４が使用され、両梱包材３，４の互いのスライド動作により梱包空間１４の容積を調整してカウンター２の表面側に被せるため、各種長さのカウンター２であっても、個々の長さに対応した梱包材を一々設定する必要がなくなり、一対の梱包材３、４で各種長さのカウンター２に適用することができて、カウンター２の長さの違いによる梱包材３、４の部材数の増加を抑えることができると共に、汎用性に優れた梱包装置１を得ることが可能となる。
【００３８】
また、カウンター２の幅方向端部と梱包材３、４の側壁部３ｂ、４ｂとの間に緩衝材としての紙管５がそれぞれ嵌挿されるため、紙管５の空洞部１５による弾性力でカウンター２の端部を確実に保護できて、安定した梱包状態を得ることができると共に、紙管５自体も紙管部材５ａ、５ｂに二分割されて連結部材５ｃで連結されることにより長さ調整可能に構成されているため、その部材数の増加を抑え一層汎用性に優れた梱包装置１を得ることが可能となる。
【００３９】
また、二分割された梱包材３、４の長さＬ１、Ｌ２が、カウンター２の重量バランスに応じて、シンク１２が設けられる側の梱包材４の長さＬ２を短く、平坦側の梱包材３の長さＬ１を長く設定しているため、両梱包材３、４の接合端部３ｄ、４ｄをカウンター２の重心位置の近傍に設定して、各梱包材３、４の両端部を結束材９でそれぞれ締結することができ、二分割された梱包材３、４をカウンター２にそれぞれ所定強度で締結することができる。その結果、分割されることで生じ易い梱包材３、４の剛性低下を防止しつつ、カウンター２に一層安定した梱包状態を容易に得ることが可能となる。さらに、カウンター２の重心位置の近傍に設定された各梱包材３、４の接合端部３ｄ、４ｄを締結する結束材９を持つことにより、梱包物を安定して持ち運ぶことも可能となる。
【００４０】
また、梱包状態において、二分割された梱包材３、４のスライド方向イと平行な両端部及びスライド方向イの両端部に、断面略Ｌ字形状の側壁部３ｂ、３ｃ及び４ｂ、４ｃと底壁部３ａ、４ａとで断面コ字状の嵌挿溝１１が形成されるため、カウンター２の搬入時等に傷付き易い外周部をこれらの嵌挿溝１１や紙管５で確実に保護することができる。また同時に、断面コ字状の嵌挿溝１１により、嵌挿溝１１内に紙管５を確実に嵌挿することができたり、隣り合う梱包材３、４の接合端部３ｄ、４ｄの接合状態を安定させることができて、カウンター２に一層良好かつ安定した梱包状態を得ることができると共に、分割された梱包材３、４の移動が嵌挿溝１１によってスムーズとなり、梱包材３、４の長さ調整作業自体を容易に行うこと等も可能となる。
【００４１】
また、カウンター２の表面側に梱包材３、４が被せられ、裏面側にシート７と付属品箱８が内蔵された梱包材６が配置されて結束材９で同時に締結されるため、カウンター２の表面側を梱包材３、４で確実に保護しつつ、シンク１２が突出する裏面側にシート７やシンク１２部分を覆う梱包材６を使用して梱包でき、突出部（シンク）を有し梱包形状が複雑化するカウンター２を確実かつ良好な状態で梱包することができると共に、各種の付属品等を付属品箱８を介して、カウンター２の裏面側でシンク１２の横の凹み空間を有効利用して効率的に梱包することが可能となる。
【００４２】
図７及び図８は、本発明に係わる梱包装置の他の実施形態を示している。以下、上記実施形態と同一部位には同一符号を付して説明する。この実施形態の梱包装置１の特徴は、梱包材３、４の隣り合う側壁部３ｂ、３ｃ及び４ｂ、４ｃの水平部１１ｂを係止手段によって着脱可能に係止させるようにした点にある。すなわち、側壁部３ｃ、４ｃの水平部１１ｂの内面に一方の面状ファスナー２０ａを両面接着テープ等で固着すると共に、側壁部３ｂ、４ｂの水平部１１ｂの外面に他方の面状ファスナー２０ｂを同様にして固着する。
【００４３】
そして、この折り曲げられた隣り合う側壁部３ｂ、３ｃ及び４ｂ、４ｃの水平部１１ｂの各端部を上下方向に面合わせさせることにより、各面状ファスナー２０ａ、２０ｂが係止されて、両側壁部３ｂ、３ｃ及び４ｂ、４ｃが組み立てられる。なお、水平部１１ｂを係止させる係止手段としては、面状ファスナー２０ａ、２０ｂの使用に限らず、係止釦や係止フック等の適宜の係止手段を採用することができる。
【００４４】
この実施形態においても、梱包形状と平板形状に形状変更可能な梱包材３、４の側壁部３ｂ、３ｃ及び４ｂ、４ｃに嵌挿溝１１が設けられるため、上記実施形態と略同様の作用効果が得られる他に、隣り合う側壁部３ｂ、３ｃ及び４ｂ、４ｃの端部が係止手段で係止されることから、両側壁部３ｂ、３ｃ及び４ｂ、４ｃの連結強度が高まり、カウンター２を一層安定かつ良好に梱包できるという作用効果が得られる。
【００４５】
なお、上記実施形態においては、緩衝材として一対の長さ調整可能な紙管５を使用したが、本発明はこれに限定されず、例えば発泡ウレタン等の樹脂類からなる長さ調整可能な緩衝材を使用することもできるし、所定長さの比較的短い緩衝材を連結等させることで長さ調整可能な緩衝材として使用することもできる。また、上記実施形態においては、長辺側の側壁部３ｂ、４ｂの嵌挿溝１１に紙管５をそれぞれ嵌挿させたが、短辺側の嵌挿溝１１内に紙管５等の緩衝材を嵌挿させてカウンター２の長手方向端部を保護する構成とすることもできる。
【００４６】
さらに、上記実施形態においては、４本の結束材９で各梱包材３、４の両端部をそれぞれ結束したが、例えば、図７及び図８に二点鎖線で示すように、短辺側の側壁部３ｃ、４ｃ上を結束材９で結束して結束強度を一層高めることもできる。また、上記実施形態においては、二分割された梱包材３、４の長さＬ１、Ｌ２が異なるように設定したが、被梱包体の形態や重心位置によっては、同一長さに設定した梱包材３、４を使用して部材の共通化を図ることもできる。
【００４７】
またさらに、上記実施形態においては、二分割された梱包材３、４の梱包形状がそれぞれ浅い舟形状である場合について説明したが、本発明に係わる梱包材は、深さの深い舟形状であっても良いし、接合端部が開口した箱形状の梱包材であっても良く、要は分割された各梱包材がそのスライド移動により、その所定形態の梱包空間１４の容積が調整されつつ被梱包体の相対向する面を覆う適宜形状の梱包材を使用することができる。また、本発明の梱包材３、４は、必ずしもリターナブルの梱包材に限定されるものでもないし、カウンター２の形態も上記実施形態に限定されるものでもなく、本発明に係わる各発明の要旨を逸脱しない範囲において適宜に変更することができる。  
【産業上の利用可能性】
【００４８】
本発明は、被梱包体としてキッチンカウンターに限らず、例えば洗面化粧台のカウンターや浴室のカウンター等の板状物にも適用できるし、板状物の梱包に限らず所定形状の各種の被梱包体の梱包にも適用できる。
【図面の簡単な説明】
【００４９】
【図１】本発明に係わる梱包装置によるキッチンカウンターの梱包状態の斜視図
【図２】同その分解斜視図
【図３】同１のＡ−Ａ線に沿った断面図
【図４】同梱包材の梱包形状の平面図
【図５】同紙管の斜視図
【図６】同梱包材の組み立て方法の説明図
【図７】本発明に係わる梱包装置の他の実施形態を示す図４のＢ部の拡大平面図
【図８】同図７のＣ−Ｃ線に沿った断面図
【符号の説明】
【００５０】
１・・・梱包装置、２・・・キッチンカウンター、３、４・・・梱包材、３ａ、４ａ・・・底壁部、３ｂ、４ｃ・・・側壁部、３ｃ、４ｃ・・・側壁部、３ｄ、４ｄ・・・接合端部、５・・・紙管、５ａ、５ｂ・・・紙管部材、５ｃ・・・連結部材、６・・・梱包材、６ａ・・・折り曲げ線、７・・・シート、８・・・付属品箱、９・・・結束材、１０ａ、１０ｂ・・・折り曲げ線、１１・・・嵌挿溝、１１ａ・・・垂直部、１１ｂ・・・水平部、１２・・・シンク、１３・・・開口、１４・・・梱包空間、１５・・・空洞部、１６・・・支持面、１７・・・係止具、１８・・・品番ラベル、１９・・・宛先ラベル、２０ａ、２０ｂ・・・面状ファスナー
【図１】
2005132446.tif 000003
【図２】
2005132446.tif 000004
【図３】
2005132446.tif 000005
【図４】
2005132446.tif 000006
【図５】
2005132446.tif 000007
【図６】
2005132446.tif 000008
【図７】
2005132446.tif 000009
【図８】
2005132446.tif 000010